(57)【特許請求の範囲】
【請求項１】
貸し出された個人情報を記録した個人情報記録手段を備える第１の装置と、前記貸し出された個人情報のレンタル状態を管理するサーバと、前記第１の装置の個人情報記録手段に記録された個人情報を貸し出したユーザが使用する第２の装置とが互いに通信可能に接続された個人情報管理システムにおいて、
前記サーバは、
前記個人情報が貸し出されたとき前記個人情報のレンタル状態を貸し出し中と設定するレンタル情報記録手段と、
前記第２の装置から送信される前記ユーザの入力にしたがって前記レンタル情報記録手段に記録された前記個人情報のレンタル状態を返却と設定するレンタル状態変更手段と、
前記個人情報が貸し出されるとき、レンタルＩＤを生成して前記レンタルＩＤごとに前記レンタル状態を設定して前記レンタル情報記録手段に記録し、前記第１の装置に前記レンタルＩＤを送信するレンタル登録手段と、
を備え、
前記第１の装置は、
前記個人情報記録手段に記録された前記個人情報にアクセスするとき、前記サーバから前記レンタル情報記録手段の前記個人情報のレンタル状態を受信して前記レンタル状態が返却と設定されているとき、前記第１の装置の前記個人情報記録手段に記録された前記個人情報を削除するレンタル状態管理手段を備え、前記レンタル状態管理手段は、前記個人情報記録手段に記録された前記個人情報にアクセスするとき、前記サーバに前記レンタルＩＤを送信して前記レンタル情報記録手段に記録された前記レンタルＩＤに対応した前記レンタル状態を受信することを特徴とする個人情報管理システム。
【請求項２】
前記サーバは、
前記ユーザから前記個人情報を借りた前記第１の装置の所有者と前記レンタル状態を記録したレンタルユーザ記録手段と、
Ｗｅｂサーバと、
を備え、
前記第２の装置は、
前記ユーザの入力にしたがって前記Ｗｅｂサーバにアクセスして前記ユーザから前記個人情報を借りた前記第１の装置の所有者と前記レンタル状態を表示するＷｅｂページを表示するためのＷｅｂブラウザを備えることを特徴とする請求項１記載の個人情報管理システム。
【請求項３】
前記レンタル状態変更手段は、前記第２の装置のＷｅｂブラウザから送信される前記ユーザの入力にしたがって返却を要望する前記第１の装置の所有者の前記レンタル状態を返却と設定することを特徴とする請求項２記載の個人情報管理システム。
【請求項４】
前記サーバは、
前記第１の装置の所有者および前記ユーザを登録した加入者登録手段と、
前記第１の装置および前記第２の装置からアクセスされるとき、前記第１の装置の所有者および前記ユーザが前記加入者登録手段に登録されていることを認証するユーザ認証手段と、
を備えることを特徴とする請求項１、２または３に記載の個人情報管理システム。
【請求項５】
電話帳手段から個人情報として電話番号またはメールアドレスを読み出して通信を行う第１の携帯電話と、前記電話帳手段に登録された前記個人情報を所有するユーザが使用する第２の携帯電話とが互いに通信可能なサーバに接続された個人情報管理システムにおいて、
前記サーバは、
前記第１の携帯電話に前記個人情報が取り返し可能に設定されて登録されたとき、前記個人情報のレンタル状態を貸し出し中と設定する貸し出し情報記録手段と、
前記第２の携帯電話から送信される前記ユーザの入力にしたがって前記貸し出し情報記録手段に記録された前記個人情報のレンタル状態を返却と設定するレンタル状態変更手段と、
を備え、
前記第１の携帯電話は、
前記個人情報を前記電話帳手段に取り返し可能に登録する登録処理手段と、
前記電話帳手段に記録された前記個人情報を読み出して通信を行うとき、前記サーバから前記貸し出し情報記録手段の前記個人情報のレンタル状態を受信して前記レンタル状態が返却と設定されているとき、前記第１の携帯電話の前記電話帳手段に記録された前記個人情報を削除するレンタル状態管理手段と、
前記電話帳手段から読み出した個人情報を表示する表示手段と、
を備え、
前記表示手段は前記取り返し可能に登録された個人情報を前記表示手段に表示したとき登録されている電話番号およびメールアドレスなどを記号または文字などに変換して表示することを特徴とする個人情報管理システム。
【請求項６】
前記第２の携帯電話は、
前記ユーザの個人情報を前記第２の携帯電話の電話帳手段に取り返し可能に登録できる登録処理手段と、
前記登録処理手段が第２の携帯電話の電話帳手段に作成した前記ユーザの個人情報を前記第１の携帯電話に送信する送信手段と、
を備え、
前記第１の携帯電話は、前記ユーザの個人情報を受信する受信手段を備え、前記第１の携帯電話の登録処理手段は、受信した前記個人情報を前記第１の携帯電話の電話帳手段に登録することを特徴とする請求項５に記載の個人情報管理システム。
【請求項７】
前記サーバは、前記第１の携帯電話に前記個人情報が取り返し可能に設定されて登録されたとき、レンタルＩＤを生成して前記レンタルＩＤごとに前記レンタル状態を設定して前記貸し出し情報記録手段に記録し、前記第１の携帯電話に前記レンタルＩＤを送信するレンタル登録手段を備え、
前記第１の携帯電話の前記レンタル状態管理手段は、前記電話帳手段に記録された前記取り返し可能に登録された個人情報を読み出して通信を行うとき、前記サーバに前記レンタルＩＤを送信して前記貸し出し情報記録手段に記録された前記レンタルＩＤに対応した前記レンタル状態を受信することを特徴とする請求項５または６に記載の個人情報管理システム。
【請求項８】
前記サーバは、
前記ユーザから前記個人情報を借りた前記第１の携帯電話の所有者と前記レンタル状態を記録したレンタルユーザ記録手段と、
Ｗｅｂサーバと、
を備え、
前記第２の携帯電話は、前記ユーザの入力にしたがって前記Ｗｅｂサーバにアクセスして前記ユーザから前記個人情報を借りた前記第１の携帯電話の所有者と前記レンタル状態を表示するＷｅｂページを表示するためのＷｅｂブラウザを備えることを特徴とする請求項５、６または７に記載の個人情報管理システム。
【請求項９】
前記レンタル状態変更手段は、前記第２の携帯電話のＷｅｂブラウザから送信される前記ユーザの入力にしたがって返却を要望する前記第１の携帯電話の所有者の前記レンタル状態を返却と設定することを特徴とする請求項８に記載の個人情報管理システム。
【請求項１０】
個人情報のレンタル状態を示すステータス情報を管理するサーバから受信したレンタルＩＤと共に個人情報を電話帳手段に登録する登録処理手段と、
前記電話帳手段に記録された前記個人情報にアクセスするとき、レンタルＩＤに基づき前記サーバから前記個人情報のステータス情報を取得し、前記ステータス情報が返却に設定されているときには前記電話帳手段に記録されている前記個人情報を削除するレンタル状態管理手段と、
前記レンタルＩＤと共に登録された個人情報を表示するときに、登録されている電話番号あるいはメールアドレスを記号または文字に変換して表示する表示手段と、
を備えたことを特徴とする携帯電話。
【発明の詳細な説明】
【技術分野】
【０００１】
本発明は、携帯電話が内蔵する電話帳に記録された電話番号、メールアドレスなどの個人情報を管理する個人情報管理システム、及び、携帯電話に関し、特に自ら積極的に提供して第三者の携帯電話の電話帳に記録された個人情報を、後になって取り返すことができる個人情報管理システム、及び、携帯電話に関する。
【背景技術】
【０００２】
携帯電話には、使い易さを向上させるための種々機能が設けられている。電話帳は、その一つで、個人や会社あるいはグループの名称と電話番号またはメールアドレスなどの個人情報を登録したものである。ユーザは、電話をかけるとき電話帳から電話をかける相手の名称または電話番号を読み出して発信キーを押下するだけで迅速かつ便利に電話をかけることができる。電話帳は何時でも自由に個人情報を読み出せ、さらに新たな情報を追加して永久に保存することができる現代人にとって便利な道具である。
【０００３】
また、近年、携帯電話が普及し、多くの人々が携帯電話を持ち歩いていることから、日常生活やビジネス等において名刺代わりに初対面の第三者に対して電話帳の個人情報を交換することがある。電話帳は携帯電話のユーザにとって有益な情報であるが、電話帳に個人情報を提供した個人にとっても大切な情報であるため、それを悪用されたり、第三者に公開された場合の影響は大きく、突然、迷惑メールが送られてきたり、ストーカー的な電話によって精神的苦痛を与えられるなどのトラブルに巻き込まれることもある。そのため、電話帳の個人情報を守り、さらに電話帳を有効に利用するため技術が公開されている。
【０００４】
例えば、特許文献１では、電話帳別ユーザ管理ファイルで電話帳ファイルを閲覧できる利用可能者を一人乃至複数登録し、検索手段が、このファイルを参照して識別情報の確認が行われた利用者に対し閲覧可能な電話帳ファイルの内容だけを表示させて秘匿性をある程度確保しつつ電話帳ファイルを複数人で共用する電子電話帳システムが開示されている。
【０００５】
特許文献２では、電話帳管理装置の保有する電話帳からネットワークで接続された個人用端末のアドレス帳にデータを登録する際、個人用端末の利用者の属性に応じて定義されたアドレス帳データ生成ルールに基づいて電話帳からデータを生成して個人用端末のアドレス帳にデータを登録する方法が開示されている。
【０００６】
特許文献３では、ネットワークを介して接続された電子電話帳管理装置のユーザ（自分）電子電話帳に知人（相手）等の電話番号を登録するとき、ユーザが電話番号を変更した場合それを通知するか否かを登録し、ユーザが電話番号を変更したとき、電子電話帳管理装置から予め登録されている相手の電子メールアドレスに変更後の電話番号を通知する電話帳管理システムが開示されている。
【０００７】
特許文献４では、着信を許可するか否かを示す着信許否フラグを携帯電話の電話帳データに設けて携帯電話網上の電話帳サーバにその電話帳データのレプリカを保存し、当該携帯電話に電話がかけられたとき、電話帳サーバは、電話をかけてきた相手の電話番号が当該携帯電話のレプリカ電話帳データに着信許否フラグが「０」として登録されているとき、当該携帯電話にかけられた電話の着信を拒否する携帯電話の電話帳管理システムが開示されている。
【０００８】
【特許文献１】特開平９−２９４１５８号公報
【特許文献２】特開２００３−１３４２１７号公報
【特許文献３】特開２００２−１４１９９８号公報
【特許文献４】特開２００２−５７８０７号公報
【発明の開示】
【発明が解決しようとする課題】
【０００９】
しかしながら、上記した特許文献１から３のように電話帳の利用者または電話番号を通知する相手を限定しても、紛失した携帯電話の電話帳から個人情報が流用されることもあるし、相手が電話帳の個人情報を他の人に教えたり、電話帳から個人情報が盗まれることも考えられる。また、多くの人に自分の個人情報を知らせることがビジネスチャンスに結びつき、電話やメールを介して最も多くコミュニケーションが交わされる現代では相手の人格を確認するような余裕はない。
【００１０】
特許文献４のようにして特定の相手の電話機からの着信を拒否しても、相手が自分の電話帳に登録されていない他の電話機を使って電話をかければ着信を拒絶することはできない。このように、自分の個人情報が相手の電話帳に記録されている限り何らかのトラブルに巻き込まれる可能性がある。トラブルに巻き込まれた場合、電話番号やメールアドレスなどの個人情報を変更しないと被害から逃れることは難しい。事前にトラブルを回避するためには、個人情報を他人に教えないことが一番よいが、個人情報を教えないと相手との連絡が取れないため、ビジネスは滞り社会生活が成り立たなくなる。
【００１１】
本発明は、上記に鑑みてなされたものであって、他人に提供した自分の個人情報を後で取り返すことのできる個人情報管理システム、及び、携帯電話を提供することにある。
【課題を解決するための手段】
【００１２】
上述した課題を解決し、目的を達成するために、本発明の請求項１に係る発明は、貸し出された個人情報を記録した個人情報記録手段を備える第１の装置と、前記貸し出された個人情報のレンタル状態を管理するサーバと、前記第１の装置の個人情報記録手段に記録された個人情報を貸し出したユーザが使用する第２の装置とが互いに通信可能に接続された個人情報管理システムにおいて、前記サーバは、前記個人情報が貸し出されたとき前記個人情報のレンタル状態を貸し出し中と設定するレンタル情報記録手段と、前記第２の装置から送信される前記ユーザの入力にしたがって前記レンタル情報記録手段に記録された前記個人情報のレンタル状態を返却と設定するレンタル状態変更手段と、前記個人情報が貸し出されるとき、レンタルＩＤを生成して前記レンタルＩＤごとに前記レンタル状態を設定して前記レンタル情報記録手段に記録し、前記第１の装置に前記レンタルＩＤを送信するレンタル登録手段と、を備え、前記第１の装置は、前記個人情報記録手段に記録された前記個人情報にアクセスするとき、前記サーバから前記レンタル情報記録手段の前記個人情報のレンタル状態を受信して前記レンタル状態が返却と設定されているとき、前記第１の装置の前記個人情報記録手段に記録された前記個人情報を削除するレンタル状態管理手段を備え、前記レンタル状態管理手段は、前記個人情報記録手段に記録された前記個人情報にアクセスするとき、前記サーバに前記レンタルＩＤを送信して前記レンタル情報記録手段に記録された前記レンタルＩＤに対応した前記レンタル状態を受信することを特徴とする個人情報管理システムを提供する。
【００１３】
本発明の請求項２に係る個人情報管理システムは、上記請求項１において、前記サーバは、前記ユーザから前記個人情報を借りた前記第１の装置の所有者と前記レンタル状態を記録したレンタルユーザ記録手段と、Ｗｅｂサーバと、を備え、前記第２の装置は、前記ユーザの入力にしたがって前記Ｗｅｂサーバにアクセスして前記ユーザから前記個人情報を借りた前記第１の装置の所有者と前記レンタル状態を表示するＷｅｂページを表示するためのＷｅｂブラウザを備えることを特徴とする。
【００１４】
本発明の請求項３に係る個人情報管理システムは、上記請求項２において、前記レンタル状態変更手段は、前記第２の装置のＷｅｂブラウザから送信される前記ユーザの入力にしたがって返却を要望する前記第１の装置の所有者の前記レンタル状態を返却と設定することを特徴とする。
【００１５】
本発明の請求項４に係る個人情報管理システムは、上記請求項１、２または３において、前記サーバは、前記第１の装置の所有者および前記ユーザを登録した加入者登録手段と、前記第１の装置および前記第２の装置からアクセスされるとき、前記第１の装置の所有者および前記ユーザが前記加入者登録手段に登録されていることを認証するユーザ認証手段と、を備えることを特徴とする。
【００１６】
本発明の請求項５に係る発明は、電話帳手段から個人情報として電話番号またはメールアドレスを読み出して通信を行う第１の携帯電話と、前記電話帳手段に登録された前記個人情報を所有するユーザが使用する第２の携帯電話とが互いに通信可能なサーバに接続された個人情報管理システムにおいて、前記サーバは、前記第１の携帯電話に前記個人情報が取り返し可能に設定されて登録されたとき、前記個人情報のレンタル状態を貸し出し中と設定する貸し出し情報記録手段と、前記第２の携帯電話から送信される前記ユーザの入力にしたがって前記貸し出し情報記録手段に記録された前記個人情報のレンタル状態を返却と設定するレンタル状態変更手段と、を備え、前記第１の携帯電話は、前記個人情報を前記電話帳手段に取り返し可能に登録する登録処理手段と、前記電話帳手段に記録された前記個人情報を読み出して通信を行うとき、前記サーバから前記貸し出し情報記録手段の前記個人情報のレンタル状態を受信して前記レンタル状態が返却と設定されているとき、前記第１の携帯電話の前記電話帳手段に記録された前記個人情報を削除するレンタル状態管理手段と、前記電話帳手段から読み出した個人情報を表示する表示手段と、を備え、前記表示手段は前記取り返し可能に登録された個人情報を前記表示手段に表示したとき登録されている電話番号およびメールアドレスなどを記号または文字などに変換して表示することを特徴とする個人情報管理システムを提供する。
【００１７】
本発明の請求項６に係る個人情報管理システムは、上記請求項５において、前記第２の携帯電話は、前記ユーザの個人情報を前記第２の携帯電話の電話帳手段に取り返し可能に登録できる登録処理手段と、前記登録処理手段が第２の携帯電話の電話帳手段に作成した前記ユーザの個人情報を前記第１の携帯電話に送信する送信手段と、を備え、前記第１の携帯電話は、前記ユーザの個人情報を受信する受信手段を備え、前記第１の携帯電話の登録処理手段は、受信した前記個人情報を前記第１の携帯電話の電話帳手段に登録することを特徴とする。
【００１８】
本発明の請求項７に係る個人情報管理システムは、上記請求項５または６において、前記サーバは、前記第１の携帯電話に前記個人情報が取り返し可能に設定されて登録されたとき、レンタルＩＤを生成して前記レンタルＩＤごとに前記レンタル状態を設定して前記貸し出し情報記録手段に記録し、前記第１の携帯電話に前記レンタルＩＤを送信するレンタル登録手段を備え、前記第１の携帯電話の前記レンタル状態管理手段は、前記電話帳手段に記録された前記取り返し可能に登録された個人情報を読み出して通信を行うとき、前記サーバに前記レンタルＩＤを送信して前記貸し出し情報記録手段に記録された前記レンタルＩＤに対応した前記レンタル状態を受信することを特徴とする。
【００１９】
本発明の請求項８に係る個人情報管理システムは、上記請求項５、６または７のいずれかにおいて、前記サーバは、前記ユーザから前記個人情報を借りた前記第１の携帯電話の所有者と前記レンタル状態を記録したレンタルユーザ記録手段と、Ｗｅｂサーバと、を備え、前記第２の携帯電話は、前記ユーザの入力にしたがって前記Ｗｅｂサーバにアクセスして前記ユーザから前記個人情報を借りた前記第１の携帯電話の所有者と前記レンタル状態を表示するＷｅｂページを表示するためのＷｅｂブラウザを備えることを特徴とする。
【００２０】
本発明の請求項９に係る個人情報管理システムは、上記請求項８において、前記レンタル状態変更手段は、前記第２の携帯電話のＷｅｂブラウザから送信される前記ユーザの入力にしたがって返却を要望する前記第１の携帯電話の所有者の前記レンタル状態を返却と設定することを特徴とする。
【００２１】
本発明の請求項１０に係る発明は、 個人情報のレンタル状態を示すステータス情報を管理するサーバから受信したレンタルＩＤと共に個人情報を電話帳手段に登録する登録処理手段と、前記電話帳手段に記録された前記個人情報にアクセスするとき、レンタルＩＤに基づき前記サーバから前記個人情報のステータス情報を取得し、前記ステータス情報が返却に設定されているときには前記電話帳手段に記録されている前記個人情報を削除するレンタル状態管理手段と、前記レンタルＩＤと共に登録された個人情報を表示するときに、登録されている電話番号あるいはメールアドレスを記号または文字に変換して表示する表示手段と、を備えたことを特徴とする携帯電話を提供する。
【発明の効果】
【００２２】
本発明にかかる個人情報管理システムは、他人に自分の個人情報を知られることなく相手から電話やメールを受け取ることができ、自分の都合で相手の電話帳に記録された自分の個人情報を勝手に削除できるので、個人情報が安心して交換できる。また、迷惑メールや、ストーカーなどの被害を減らすことができるという効果を奏する。
【発明を実施するための最良の形態】
【００２３】
以下に、本発明にかかる個人情報管理システムの実施例を図面に基づいて詳細に説明する。なお、この実施例によりこの発明が限定されるものではない。
【実施例】
【００２４】
実施例では、ユーザＢが、ユーザＡに提供してユーザＡの電話帳に記録された自分の電話番号またはＥメールアドレスなどの個人情報をユーザＡの電話帳から取り返すケースについて説明する。はじめに、ユーザＢが、ユーザＡの電話帳に自分の電話番号またはＥメールアドレスなどの個人情報を提供する方法について説明する。
【００２５】
図１は、本発明の実施の形態にかかる個人情報登録画面の例である。個人情報登録画面１０には、ネーム入力欄１１、電話番号入力欄１２、Ｅメールアドレス入力欄１３などの個人情報入力欄と、オプション設定欄１４などが設けられる。ネーム入力欄１１には個人情報登録画面１０で入力される個人情報を所有する個人の名前、たとえば「太郎」や会社の名称などが入力される。電話番号入力欄１２、Ｅメールアドレス入力欄１３には複数の電話番号およびＥメールアドレスを登録することができる。
【００２６】
個人情報登録画面１０には、他にイメージ画像入力欄１６、グループ分類欄１７なども設けられる。イメージ画像入力欄１６に個人情報を所有する人物の顔写真などを設定すると個人情報がさらに充実する。グループ分類欄１７に個人情報を所有する人物の所属する会社名やグループ名などを入力すれば会社やグループごとに個人情報を分類することができる。個人情報登録画面１０に情報を設定して登録すると、個人情報登録画面１０から入力されたデータは携帯電話の電話帳に登録される。
【００２７】
図１の個人情報登録画面１０は、携帯電話を保有するユーザＡが電話やメールで連絡をとりたい相手の個人情報を自ら登録するための画面であるが、ユーザＢがユーザＡに自分の名刺を渡す代わりにユーザＡの携帯電話を借りてユーザＡの電話帳に自分の電話番号またはＥメールアドレスなどの個人情報を入力するとき、オプション設定欄１４の取り返し機能１５に「設定」を指定して用いることができる。
【００２８】
ユーザＢがオプション設定欄１４の取り返し機能１５に「設定」を指定して自分の個人情報を登録すれば、ユーザＢは個人情報登録画面１０を使ってユーザＡの携帯電話の電話帳に登録した自分の個人情報をいつでもユーザＡの携帯電話の電話帳から削除して取り返すことができる。ただし、ユーザＡおよびユーザＢが本発明の個人情報管理システムに加入していなければならない。
【００２９】
図２は、本発明の実施の形態にかかる取り返し機能が設定された個人情報を表示した画面の例である。個人情報を表示した画面２０には、ネーム表示欄２１、電話番号表示欄２２、Ｅメールアドレス表示欄２３、イメージ画像表示欄２６、グループ表示欄２７、および編集ボタン２８などが表示される。個人情報を表示した画面２０を表示させて携帯電話に設けられたキーを押下すれば、電話をかけたり、メールを送ることができる。編集ボタン２８を選択して表示した情報を変更することもできる。
【００３０】
ネーム表示欄２１には、個人情報登録画面１０のネーム入力欄１１で入力された名前たとえば「太郎」や会社の名称が、イメージ画像表示欄２６、およびグループ表示欄２７にはそれぞれ個人情報登録画面１０のイメージ画像入力欄１６、およびグループ分類欄１７からそれぞれ入力された情報がそのまま表示される。
【００３１】
個人情報登録画面１０のオプション設定欄１４で取り返し機能１５に「設定」を指定して登録された個人情報を表示すると、図２に示すように電話番号表示欄２２およびＥメールアドレス表示欄２３には、個人情報登録画面１０の電話番号入力欄１２およびＥメールアドレス入力欄１３から入力された電話番号およびＥメールアドレスは表示されない。
【００３２】
電話番号表示欄２２には、携帯電話または固定電話を表現した絵文字と例えば「☆☆☆」などの記号、または文字などによって電話番号が登録されていることを表示している。携帯電話または固定電話を表現した絵文字は、電話番号入力欄１２に入力された電話番号に応じて表示される。同様に、Ｅメールアドレス表示欄２３にもメールを表現した絵文字と記号、または文字などを表示してＥメールアドレスが登録されていることが示される。
【００３３】
個人情報を表示した画面２０の編集ボタン２８を選択して個人情報を表示する画面２０に表示された個人情報を変更することはできるが、登録時に設定したオプション設定欄１４の取り返し機能１５を「設定なし」に変更することはできない。このように取り返し機能１５が設定されて登録された個人情報を表示すると、電話番号表示欄２２およびＥメールアドレス表示欄２３には、個人情報登録画面１０の電話番号入力欄１２およびＥメールアドレス入力欄１３から入力された電話番号やＥメールアドレスは表示されない。
【００３４】
ユーザＢが、ユーザＡの携帯電話の電話帳に自分の個人情報を取り返し機能１５を設定して登録すると、ユーザＡはユーザＢが自分の個人情報を取り返すまでは、ユーザＢの個人情報を使ってユーザＢの携帯電話や固定電話に電話をかけたり、Ｅメールアドレスにメールを送ったりすることができるが、ユーザＡは、ユーザＢの個人情報である電話番号やＥメールアドレスを見ることはできない。
【００３５】
このように取り返し機能を設定すれば、ユーザＢは自分の個人情報がユーザＡに知られることなく、ユーザＡの携帯電話からユーザＡの携帯電話の電話帳に登録した自分の携帯電話および固定電話に電話を受けたり、ユーザＡの携帯電話の電話帳に登録した自分のＥメールアドレスにメールを受信したりすることができるので、ユーザＢは、気軽にユーザＡの携帯電話の電話帳に自分の個人情報を登録することができる。
【００３６】
図３は、本発明の実施の形態にかかる個人情報登録画面の取り返し機能を設定して作成した名刺ファイルを表示した例である。ユーザＢは、自分の携帯電話の個人情報登録画面１０を用いて自分の自身のプロフィルを名刺ファイル３０として作成することもできる。名刺ファイル３０の内容は、図３に示すように図２の個人情報を表示した画面２０と同じである。ユーザＢが、ユーザＡからの電話またはメールによる通信を希望すれば、ユーザＡの携帯電話にユーザＢの名刺ファイル３０を送信してユーザＢの個人情報をユーザＡに提供することもできる。送信方法は、ユーザＢとユーザＡの携帯電話を直接ケーブルで接続してもよいし、ユーザＢの携帯電話とユーザＡの携帯電話との間で赤外線通信を用いてもよいし、メールで送信してもよい。ユーザのＢの名刺ファイル３０を受信したユーザＡは、ユーザＢの名刺ファイル３０をそのまま自分の電話帳に登録することができる。
【００３７】
図４は、本発明の実施の形態にかかる個人情報管理システムの概念図である。個人情報管理システム３１は、電話帳ＤＢ３２を備えたユーザＡの携帯電話３３とユーザＢが使う携帯電話３４とをそれぞれ基地局３５、３５‘を介して接続する携帯電話網３６と、ユーザＢの固定電話４２を接続する電話網４１と、レンタルサーバ３９およびメールサーバ４０を接続するインターネット３７とをそれぞれ接続して構成される。
【００３８】
携帯電話３３は、ユーザＢの電話番号およびメールアドレスなどの個人情報データ７３
を記録した電話帳ＤＢ３２を備え（図４においては便宜的に外部に取り出した形で表している）、取り返し機能を設定したユーザＢの個人情報データ７３を登録するとき、レンタルサーバ３９が発行するレンタルＩＤをユーザＢの個人情報データ７３に記録する。
【００３９】
レンタルサーバ３９は、取り返し機能を設定した個人情報データ７３を登録するとき、レンタルＩＤを発行して、レンタル情報ＤＢ３８に発行したレンタルＩＤのステイタス情報１００をレンタル中として記録し、携帯電話３３にレンタルＩＤを送信する。レンタルサーバ３９のステイタス情報変更部８７は、ユーザＢからの入力に従ってレンタルサーバ３９のステイタス情報１００を返却と変更する。
【００４０】
携帯電話３３から個人情報データ７３に記録されたユーザＢの電話番号またはメールアドレスにアクセスして通信を行うとき、携帯電話３３のレンタル管理処理部６５は、記録されているレンタルＩＤ７５をレンタルサーバ３９に送信して、レンタルサーバ３９からレンタル情報ＤＢ３８のステイタス情報１００を受信し、受信したステイタス情報がレンタル中と設定されているときユーザＢへ発信し、ステイタス情報が返却と設定されているとき電話帳ＤＢ３２からユーザＢの個人情報データ７３を削除して、ユーザＡからユーザＢのユーザＢの個人情報データ７３を取り返す。
【００４１】
図５は、本発明の実施の形態にかかる電話帳ＤＢを備えるユーザＡの携帯電話の構成を示すブロック図である。ユーザＡの携帯電話３３は、アンテナ５１が接続された通信制御部５２、ＣＰＵ５３、キー群５４、表示部５５、マイク５６およびスピーカ５７と接続された音声処理部５８、ＲＯＭ５９、ＲＡＭ６０、および電話帳ＤＢ３２などをバス５０などの通信路を介して通信可能に接続されて構成されている。
【００４２】
通信制御部５２は、アンテナ５１を介して基地局３５と通信を行い、基地局３５から携帯電話網３６を介してユーザＢなどの携帯電話３４と接続され、さらに携帯電話網３６と電話網４１を介して、ユーザＢなどの固定電話４２と接続され、携帯電話網３６とインターネット３７を介してレンタルサーバ３９、メールサーバ４０などとの通信を可能とし、ユーザＢの携帯電話３４、ユーザＢの固定電話４２に電話をかけたり、メールを送信したりすることができる。
【００４３】
ＣＰＵ５３は、ＲＯＭ５９に格納されているＯＳなどのプログラムによって、キー群５４からの入力を受けつけて、電話帳ＤＢ３２への個人情報を登録したり、電話帳ＤＢ３２から個人情報を読み出して、ユーザＢに電話をかけたり、メールを送信したりする。キー群５４は、入力を行うための各種キーである。表示部５５は、個人情報登録画面１０、および個人情報を表示する画面２０などを表示する。音声処理部５８は、自分の声を入力するマイク５６と電話の相手の音声を出力するスピーカ５７を制御して音声処理を行う。
【００４４】
ＲＯＭ５９には、電話帳ＤＢ３２に個人情報を登録する電話帳登録プログラム６２、電話帳ＤＢ３２の個人情報に登録されたユーザＢに電話をかけたり、メールを送信するための通信プログラム６３、およびＯＳなどが記憶される。電話帳登録プログラム６２には、取り返し機能が設定された個人情報を登録する場合、レンタルサーバ３９に個人情報を借りていることを登録するレンタル登録処理部６４が設けられ、通信プログラム６３には、電話帳ＤＢ３２に取り返し機能が設定されて登録されている個人情報にアクセスして通信を行う場合、レンタルサーバ３９にレンタル状態を送信してもらい、レンタル状態に返却が設定されている場合、当該個人情報を電話帳から削除するレンタル管理処理部６５が設けられる。電話帳ＤＢ３２には、ユーザＡに提供された例えばユーザＢなどの多くの個人情報が登録されている。
【００４５】
図６は、本発明の実施の形態にかかるユーザＢの携帯電話の構成を示すブロック図である。ユーザＢの携帯電話３４は、図５に示すユーザＡの携帯電話３３とほぼ同じ構成であり、同一の部分については同じ番号を付与し、説明を省略する。ユーザＢの携帯電話３４のＲＡＭ６８には、個人情報管理システム３１に加入したときレンタルサーバ３９から通知されるユーザＢのレンタル状態を知らせるＷｅｂページのＵＲＬ７１が記憶され、ＲＯＭ６７には、レンタルサーバに３９に接続してユーザＢのレンタル状態を知らせるＷｅｂページを受信して、ユーザＢのレンタル状態を知らせるＷｅｂページを表示するＷｅｂブラウザ６９とＯＳなどが記憶される。
【００４６】
図７は、本発明の実施の形態にかかるユーザＡの携帯電話が備える電話帳ＤＢのデータ構造の例を示す図である。電話帳ＤＢ３２には、図１の個人情報登録画面１０から入力された多くの個人情報データ７３が記録されている。個人情報データ７３は、ネーム７４、レンタルＩＤ７５、電話番号７６、メールアドレス７７、およびグループ７８などから構成される。
【００４７】
個人情報データ７３のネーム７４には、図１に示す個人情報登録画面１０のネーム入力欄１１から入力された個人の名前、たとえば「太郎」や会社の名称などが記録され、電話番号７６には電話番号入力欄１２から入力された電話番号が記録され、メールアドレス７７にはＥメールアドレス入力欄１３から入力されたメールアドレスが記録され、グループ７８にはグループ分類欄１７から入力された会社名などが記録される。
【００４８】
取り返し機能を設定して登録されている個人情報データ７３のレンタルＩＤ７５には、レンタルサーバ３９が発行したレンタルＩＤが記録される。レンタルＩＤは、個人情報データ７３が取り返し機能を設定して電話帳３２に登録されるたびに発行されるレンタル管理番号である。例えば、ユーザＡは「太郎」から「Ｔ０００２」の貸し出し番号でユーザＢの個人情報データ７３を借りていることになる。ユーザＡの携帯電話３３は、レンタルＩＤが記録されている個人情報データ７３にアクセスするたびにレンタルＩＤ７５を介してレンタルサーバ３９にレンタル状態を確認する。
【００４９】
図８は、本発明の実施の形態にかかるレンタルサーバの構成を示すブロック図である。レンタルサーバ３９は、通信制御部８２、加入者登録部８３、ユーザ認証部８４、レンタル登録部８５、Ｗｅｂページテキスト生成部８６、ステイタス情報変更部８７、ステイタス情報通知部８８、メモリ９０、加入者登録ＤＢ９１、レンタル情報ＤＢ３８、およびＷｅｂテキストファイル９３などを備えて構成され、これら各部は制御部８１に接続されて制御される。
【００５０】
通信制御部８２は、インターネット３７と接続されインターネット３７を介して携帯電話３３および携帯電話３４との通信を行う。加入者登録部８３は、個人情報管理システム３１に加入したユーザを登録し、加入したユーザに個人情報のレンタルユーザを表示するＷｅｂページのＵＲＬなどを通知する。
【００５１】
ユーザ認証部８４は、加入者登録ＤＢ９１を検索してユーザが加入者登録ＤＢ９１に登録されているかどうかを確認する。レンタル登録部８５は、取り返し機能が設定されている個人情報を携帯電話３３の電話帳ＤＢ３２に登録するとき、レンタルＩＤを発行してレンタル情報ＤＢ３８の貸し出しユーザごとにレンタルユーザとレンタルＩＤ９９とレンタル中と設定したステイタス情報１００を登録し、携帯電話３３にレンタルＩＤを送信する。Ｗｅｂページテキスト生成部８６は、携帯電話３４の備えるＷｅｂブラウザ６９の要求にしたがって、レンタル情報ＤＢ３８とＷｅｂテキストファイル９３からユーザＢの個人情報のレンタルユーザを表示するＷｅｂページテキスト９４を作成して、携帯電話３４に送信する。
【００５２】
ステイタス情報変更部８７は、表示されたユーザＢの個人情報のレンタルユーザを表示するＷｅｂページからの入力を受信して、レンタル情報ＤＢ３８のステイタス情報１００を返却に変更する。ステイタス情報通知部８８は、携帯電話３３から送信されるレンタルＩＤを受信して、レンタル情報ＤＢ３８のレンタルＩＤ９９に対応したステイタス情報１００を送信し、ステイタス情報１００が返却になっている場合、レンタル情報ＤＢ３８から送信したレンタルＩＤ９９を含むレンタル情報を削除する。Ｗｅｂテキストファイル９３にはＷｅｂページを作成するためのテキストファイルが記録される。メモリ８０には、Ｗｅｂページテキスト生成部８６が作成したレンタルユーザを表示するＷｅｂページテキスト９４などが記憶される。
【００５３】
図９は、本発明の実施の形態にかかる加入者登録ＤＢの例を示す図である。加入者登録ＤＢ９１には、予め個人情報管理システム３１に加入したユーザが登録されるが、個人情報管理システム３１内でユニークなものであれば携帯電話のＵＩＤ（ユーザＩＤ）などを用いてもよい。
【００５４】
図１０は、本発明の実施の形態にかかるレンタル情報ＤＢの例を示す図である。レンタル情報ＤＢ３８は、個人情報を取り返し機能を設定して貸し出しているユーザごとに借りているユーザとレンタル状態を管理するものである。レンタル情報ＤＢ３８には、取り返し機能を設定した貸し出しが行われるたびにレンタル情報９６が登録される。レンタル情報９６は、貸し出しユーザ９７、レンタルユーザ９８、レンタルＩＤ９９、およびステイタス情報１００などから構成される。
【００５５】
貸し出しユーザ９７は、自分が所有する個人情報を取り返し機能を設定して貸し出しているユーザである。レンタルユーザ９８は、その個人情報を借りているユーザ、レンタルＩＤ９９は、取り返し機能が設定された個人情報が貸し出されるたびに発行されるレンタル管理番号である。ステイタス情報１００は、「レンタル中」、および「返却」など貸し出しの条件を示すもので、個人情報を貸し出しているユーザの意思が示される。ユーザの意思はユーザが途中で勝手に変更することができる。尚、ステイタス情報には、他に「１回だけ」、「２週間だけ」とか貸し出し回数や貸し出し期間、または有効期限などを設けてもよい。
【００５６】
図１１は、本発明の実施の形態にかかるユーザＢの個人情報をユーザＡの携帯電話の電話帳に登録する処理のフローチャートである。ユーザＢの個人情報をユーザＡの携帯電話３３の電話帳ＤＢ３２に登録する方法は、図１から図３で説明したように２つあり、電話帳ＤＢ３２への登録処理は、携帯電話３３の電話帳登録プログラム６２が行う。
【００５７】
１つは、ユーザＢがユーザＡの携帯電話２を借りてユーザＡの携帯電話３３の表示部５５に個人情報登録画面１０を表示させ（Ｓ１０１）、ユーザＢが個人情報登録画面１０に自分の名前、電話番号、Ｅメールアドレスなどを入力して、取り返し機能を設定して入力した個人情報をユーザＡの携帯電話３３の電話帳ＤＢ３２に登録する方法である。（Ｓ１０２）他は、ユーザＢが自分の携帯電話３４に作成した名刺ファイル３０をユーザＡに送信し、名刺ファイル３０を受信したユーザＡがユーザＢの名刺ファイル３０をユーザＡの携帯電話３３の電話帳ＤＢ３２に登録する方法である（Ｓ１０３）。
【００５８】
いずれも、登録するユーザＢの個人情報に取り返し機能が設定されていれば（Ｓ１０４）、レンタル登録処理部６４は、レンタルサーバ３９に、ユーザＡが取り返し機能を設定されたユーザＢの個人情報を借りることを登録するように送信する（Ｓ１０５）。
【００５９】
レンタルサーバ３９は、ユーザＡが取り返し機能を設定されたユーザＢの個人情報を借りることを登録する要求を受信し（Ｓ２０１）、図８に示すユーザ認証部８４で、ユーザＡとユーザＢが加入者登録ＤＢ９１に登録されていれば（Ｓ２０２，ＹＥＳ）、レンタル登録部８５は、新しいレンタルＩＤ、例えば「Ｔ０００２」を発行して（Ｓ２０３）、図１０に示すレンタル情報ＤＢ３８の貸し出しユーザ９７がユーザＢのところのレンタルユーザ９８にユーザＡと設定してレンタルＩＤ９９に発行したレンタルＩＤを記録し、ステイタス情報１００をレンタル中と設定したレンタル情報９６を追加して（Ｓ２０４）、ユーザＡが取り返し機能を設定されたユーザＢの個人情報を借りたことを登録し（Ｓ２０５）、携帯電話３３に発行したレンタルＩＤと、登録が完了したことを送信する（Ｓ２０６）。
【００６０】
携帯電話３３は、発行されたレンタルＩＤと、登録が完了したことを受信して（Ｓ１０６）、個人情報登録画面１０で入力された電話番号およびＥメールアドレスの表示データを記号または文字に変換して（Ｓ１０７）。図７のユーザＢの個人情報データ７３のレンタルＩＤ７５に受信したレンタルＩＤを設定する（Ｓ１０８）。次に、個人情報登録画面１０から入力された電話番号、ＥメールアドレスなどをユーザＢの個人情報データ７３に設定して携帯電話３３の電話帳データ３２に登録し（Ｓ１０９）、登録されたユーザＢの個人情報と登録完了のメッセージを表示する（Ｓ１１０）。
【００６１】
Ｓ１０４においてユーザＢの個人情報に取り返し機能が設定されていなければ（Ｓ１０４，ＮＯ）、ステップＳ１０９に処理を進めて個人情報登録画面１０から入力された電話番号、Ｅメールアドレスなどを個人情報データ７３に設定して携帯電話３３の電話帳データ３２に登録し（Ｓ１０９）、個人情報と登録完了メッセージを表示する（Ｓ１１０）。
【００６２】
Ｓ２０２においてユーザＡまたはユーザＢ、またはユーザＡとユーザＢが加入者登録ＤＢ８１に登録されていなけれ（Ｓ２０２，ＮＯ）、ユーザＡの携帯電話３３にエラーを送信する（Ｓ２０７）。ユーザＡの携帯電話３３はエラーを受信して（Ｓ１１１）、個人情報管理システム３１に未加入であるという旨のエラーメッセージを表示する（Ｓ１１２）。
【００６３】
図１２は、本発明の実施の形態にかかるユーザＢが自分の個人情報を取り返すよう設定する処理のフローチャートである。ユーザＢは、図６示すＲＡＭ６８に記憶したユーザＢの個人情報のレンタルユーザを表示するＷｅｂページのＵＲＬ７１を指定して携帯電話３４のＷｅｂブラウザ６９を起動し、レンタルサーバ３９に接続してレンタルユーザを表示するＷｅｂページを送信するよう要求する（Ｓ３０１）。尚、ユーザＢは、Ｗｅｂブラウザを備え、ユーザＢの個人情報のレンタルユーザを表示するＷｅｂページのＵＲＬ７１を記録して指定できれば図４に示すユーザＢの固定電話４２またはインターネット３７に接続された図示されないユーザＢのパソコンなどからも自分の個人情報を取り返すよう設定することができる。
【００６４】
レンタルサーバ３９は、レンタルユーザを表示するＷｅｂページの送信要求を受信し、ユーザ認証部７４で、ユーザＢが加入者登録ＤＢ９１に登録されていることを確認し、ユーザＢが加入者登録ＤＢ９１に登録されていれば（Ｓ４０２，ＹＥＳ）、Ｗｅｂページテキスト生成部８６は、Ｗｅｂテキストファイル９３と、レンタル情報ＤＢ３８の貸し出しユーザ９７がユーザＢのレンタルユーザ９８とステイタス情報１００からレンタルユーザを表示するＷｅｂページテキストを生成して（Ｓ４０３）、携帯電話３４に送信する。
【００６５】
携帯電話３４はレンタルユーザを表示するＷｅｂページテキストを受信し（Ｓ３０２）、Ｗｅｂブラウザ６９でＷｅｂページテキストを解釈して、ユーザＢの個人情報のレンタルユーザを表示するＷｅｂページを表示する（Ｓ３０３）。
【００６６】
図１３は、本発明の実施の形態にかかるレンタルユーザを表示するＷｅｂページの例を示す図である。レンタルユーザを表示するＷｅｂページ１１０には、ユーザＢの個人情報を取り返し機能つきで借りているユーザを表示するレンタルユーザ表示欄１１１とその貸し出しの条件を再設定可能に表示するステイタス情報表示設定欄１１２が表示される。レンタルユーザ表示欄１１１とステイタス情報表示設定欄１１２には、レンタル情報ＤＢ３８の貸し出しユーザ９７がユーザＢのレンタルユーザ９８に登録されたユーザとステイタス情報１００が表示される。
【００６７】
ユーザＢは、レンタルユーザを表示するＷｅｂページ１１０のレンタルユーザ表示欄１１１から個人情報を取り返したいレンタルユーザを選択してそのステイタス情報表示設定欄１１２を「レンタル中」から「返却」に変更して登録を入力すると（Ｓ３０４）、選択されたレンタルユーザのステイタス情報を返却に変更する要求がレンタルサーバ３９に送信される（Ｓ３０５）。
【００６８】
レンタルサーバ３９のステイタス情報変更部８７は、選択されたユーザの個人情報を返却する要求を受信して、レンタル情報ＤＢ３８の当該レンタルユーザ９８のステイタス情報１００を返却に設定して（Ｓ４０６）、処理を終了する。
【００６９】
Ｓ４０２においてユーザＢが加入者登録ＤＢ８１に登録されていなければ（Ｓ４０２，ＮＯ）、ユーザＢの携帯電話３４にエラーを送信する（Ｓ４０７）。ユーザＢの携帯電話３４はエラーを受信して（Ｓ３０６）、個人情報管理システム３１に未加入であるという旨のエラーメッセージを表示する（Ｓ３０７）。
【００７０】
図１４は、本発明の実施の形態にかかるユーザＢの個人情報を取り返す処理のフローチャートである。ユーザＡが携帯電話３３の電話帳ＤＢ３２からユーザＢの個人情報データ７３を読み出し、携帯電話３３の表示部５５に図２に示すようなユーザＢの個人情報を表示する画面２０を表示する（Ｓ５０１）。
【００７１】
ユーザＡが、ユーザＢの個人情報を表示する画面２０の電話番号欄２２またはＥメールアドレス欄２３のいずれかを選択して電話キーまたはメールキーなどの発信キーを押下すると（Ｓ５０２）、携帯電話３３の通信プログラム６３は、図７に示す電話帳ＤＢ３２の個人情報データ７３を検索してユーザＢのレンタルＩＤ７５にレンタルＩＤが登録されているかをチェックする。レンタルＩＤが登録されていれば（Ｓ５０３，ＹＥＳ）、レンタル管理処理部６５が登録されているレンタルＩＤを、レンタルサーバ３９に送信する（Ｓ５０４）。尚、ユーザＡが、ユーザＢの電話番号またはＥメールアドレスを直接入力したときはＳ５０２から処理が行われる。
【００７２】
レンタルサーバ３９は、携帯電話３３からレンタルＩＤを受信し（Ｓ６０１）、レンタルサーバ３９のステイタス情報通知部８８が図１０に示すレンタル情報ＤＢ３８のレンタルＩＤ９９を検索して（Ｓ６０２）、受信したレンタルＩＤが登録されているステイタス情報１００を携帯電話３３に送信し（Ｓ６０３）、ステイタス情報１００に返却が設定されていた場合（Ｓ６０４，ＹＥＳ）、レンタル情報ＤＢ３８から受信したレンタルＩＤが記録されたレンタル情報９６を削除する（Ｓ６０５）。
【００７３】
携帯電話３３はレンタルサーバ３９から送信されたステイタスを受信し（Ｓ５０５）、受信したステイタス情報に返却が設定されていれば（Ｓ５０６，ＹＥＳ）、図７に示す電話帳ＤＢ３２に登録されたユーザＢの個人情報データ７３を削除して（Ｓ５０７）、ユーザＢの個人情報はユーザＢに返却されたので通信を行うことができないという旨のエラーメッセージを表示して（Ｓ５０８）、処理を終了する。
【００７４】
Ｓ５０３においてユーザＢの個人情報データ７３のレンタルＩＤ７５に登録がないとき（Ｓ５０３，ＮＯ）、またはＳ５０６において受信したステイタス情報に返却が設定されていないとき（Ｓ５０６，ＮＯ）、携帯電話３３はユーザＢへ通常の発信処理を継続して行う（Ｓ５０９）。
【００７５】
以上詳細に説明したように実施の形態では、取り返し機能が設定された個人情報を表示するときは、電話番号とＥメールアドレスの表示データを記号に変換して表示したので、ユーザＢは、ユーザＡの携帯電話３３の電話帳ＤＢ３２に自分の個人情報データ７３を取り返し機能を設定して登録すると、ユーザＡに自分の個人情報を見られることなく、ユーザＡから個人情報データ７３に登録した自分の携帯電話３３や固定電話４２などの電話番号７６に電話を受けたり、メールアドレス７７にメールを受信したりできる。
【００７６】
また、レンタルサーバ３９は取り返し機能を設定した個人情報データ７３が登録されるとき、レンタルＩＤを発行して、レンタル情報ＤＢ３８に発行したレンタルＩＤ９９のステイタス情報１００をレンタル中として記録し、取り返し機能を設定してユーザＢの個人情報データ７３を登録し、携帯電話３３にレンタルＩＤを送信してユーザＢの個人情報データ７３のレンタルＩＤ７５に記録したので、ユーザＢが、レンタルユーザを表示するＷｅｂページ１１０から個人情報を取り返したいユーザＡを選択してステイタス情報１００を返却に変更すると、ユーザＡが携帯電話３３から個人情報データ７３に記録されたユーザＢの電話番号７６またはメールアドレス７７にアクセスして通信を行うとき、記録されているレンタルＩＤ７５をレンタルサーバ３９に送信して、レンタルサーバ３９からレンタル情報ＤＢ３８のステイタス情報１００を受信し、受信したステイタス情報が返却と設定されているとき、電話帳ＤＢ３２からユーザＢの個人情報データ７３を削除してユーザＢの個人情報データ７３を取り返すことができる。
【産業上の利用可能性】
【００７７】
以上のように、本発明にかかる個人情報管理システム、及び、携帯電話は、特別な電子文書などのデジタル情報を期限または回数を限って特定のユーザに提供するサービス産業に有用であり、特に、都合が悪くなったときまたは期限が来たときに取り返せる電話帳、電子名刺、およびＥメールなどの配信に適している。
【図面の簡単な説明】
【００７８】
【図１】本発明の実施の形態にかかる個人情報登録画面の例である。
【図２】本発明の実施の形態にかかる取り返し機能が設定された個人情報を表示した画面の例である。
【図３】本発明の実施の形態にかかる個人情報登録画面の取り返し機能を設定して作成した名刺ファイルを表示した例である。
【図４】本発明の実施の形態にかかる個人情報管理システムの概念図である。
【図５】本発明の実施の形態にかかる電話帳ＤＢを備えるユーザＡの携帯電話の構成を示すブロック図である。
【図６】本発明の実施の形態にかかるユーザＢの携帯電話の構成を示すブロック図である。
【図７】本発明の実施の形態にかかるユーザＡの携帯電話の電話帳ＤＢのデータ構造の例を示す図である。
【図８】本発明の実施の形態にかかるレンタルサーバの構成を示すブロック図である。
【図９】本発明の実施の形態にかかる加入者登録ＤＢの例を示す図である。
【図１０】本発明の実施の形態にかかるレンタル情報ＤＢの例を示す図である。
【図１１】本発明の実施の形態にかかるユーザＢの個人情報をユーザＡの携帯電話の電話帳に登録する処理のフローチャートである。
【図１２】本発明の実施の形態にかかるユーザＢが自分の個人情報を取り返すよう設定する処理のフローチャートである。
【図１３】本発明の実施の形態にかかるレンタルユーザを表示するＷｅｂページの例を示す図である。
【図１４】本発明の実施の形態にかかるユーザＢの個人情報を取り返す処理のフローチャートである。
【符号の説明】
【００７９】
１０  個人情報登録画面
１１  ネーム入力欄
１２  電話番号入力欄
１３  Ｅメールアドレス入力欄
１４  オプション設定欄
１５  取り返し機能
１６  イメージ画像入力欄
１７  グループ分類欄
２０  個人情報を表示した画面
２１  ネーム表示欄
２２  電話番号表示欄
２３  Ｅメールアドレス表示欄
２６  イメージ画像表示欄
２７  グループ表示欄
２８  編集ボタン
３０  名刺ファイル
３１  個人情報管理システム
３２  電話帳ＤＢ
３３，３４  携帯電話
３５、３５’基地局
３６  携帯電話網
３７  インターネット
３８  レンタル情報ＤＢ
３９  レンタルサーバ
４１  電話網
４０  メールサーバ
４４  ユーザＢの固定電話
５０  バス
５１  アンテナ
５２  通信制御部
５２  ＣＰＵ
５４  キー群
５５  表示部
５６  マイク
５７  スピーカ
５８  音声処理部
５９，６７  ＲＯＭ
６０，６８  ＲＡＭ
６２  電話帳登録プログラム
６３  通信プログラム
６４  レンタル登録処理部
６５  レンタル管理処理部
７１  ＷｅｂページのＵＲＬ
７３  個人情報データ
７４  ネーム
７５  レンタルＩＤ
７６  電話番号
７７  メールアドレス
７８  グループ
８１  制御部
８２  通信制御部
８３  加入者登録部
８４  ユーザ認証部
８５  レンタル登録部
８６  Ｗｅｂページテキスト生成部
８７  ステイタス情報変更部
８８  ステイタス情報通知部
９０  メモリ
９１  加入者登録ＤＢ
９３  Ｗｅｂテキストファイル
９４  レンタルユーザを表示するＷｅｂページテキスト
９６  レンタル情報
９７  貸し出しユーザ
９８  レンタルユーザ
９９  レンタルＩＤ
１００  ステイタス情報
１１０  レンタルユーザを表示するＷｅｂページ
１１１  レンタルユーザ表示欄
１１２  ステイタス情報表示設定欄
【図１】
0003699463.tif 000002
【図２】
0003699463.tif 000003
【図３】
0003699463.tif 000004
【図４】
0003699463.tif 000005
【図５】
0003699463.tif 000006
【図６】
0003699463.tif 000007
【図７】
0003699463.tif 000008
【図８】
0003699463.tif 000009
【図９】
0003699463.tif 000010
【図１０】
0003699463.tif 000011
【図１１】
0003699463.tif 000012
【図１２】
0003699463.tif 000013
【図１３】
0003699463.tif 000014
【図１４】
0003699463.tif 000015